(57)【要約】【課題】コネクタハウジングの金型形状が複雑になるのを防止して製造コストを低減すると共に、大型化を招くことなく、一対の端子金具の短絡解除を良好に行うことができるコネクタを提供すること。【解決手段】コネクタ１は、２つのオス端子３１を収容する端子収容室１５を有するオスハウジング１１と、２つのオス端子３１を互いに電気的に接続するショート端子４１と、を備え、嵌合された相手側コネクタによりショート端子４１による２つのオス端子３１の電気的な接続が解除される。ショート端子４１の短絡用接触片４６の前端に設けられた当て部４７がオスハウジング本体部１３の前面１７から突出しており、前面１７に対向する相手側コネクタの前面が当て部４７を押圧して短絡用接触片４６をコネクタ後方へ撓ませることで、２つのオス端子３１の短絡解除が行われる。【選択図】図３
2018060722.tif 000002
【特許請求の範囲】
【請求項１】
少なくとも２つの端子金具と、前記端子金具を収容する端子収容室を有するコネクタハウジングと、２つの前記端子金具を互いに電気的に接続するショート端子と、を備え、嵌合された相手側コネクタにより前記ショート端子による２つの前記端子金具の電気的な接続が解除されるコネクタであって、
前記ショート端子の短絡用接触片の前端に設けられた当て部が前記コネクタハウジングの前面から突出しており、
前記コネクタハウジングの前面に対向する前記相手側コネクタの前面が前記当て部を押圧して前記短絡用接触片をコネクタ後方へ撓ませることで、２つの前記端子金具の短絡解除が行われることを特徴とするコネクタ。
【請求項２】
嵌合された前記相手側コネクタの前面によりコネクタ後方へ撓ませられた前記短絡用接触片は、前記端子収容室に形成されて前記短絡用接触片に当接可能な突起部に接触して前記端子金具と離れる位置に変位されることで、前記端子金具に対する前記短絡用接触片の接触が解除されることを特徴とする請求項１に記載のコネクタ。
【請求項３】
前記端子金具の端子箱部側に突出して該端子箱部に接触する接点部を有する前記短絡用接触片は、嵌合された前記相手側コネクタの前面によりコネクタ後方へ撓ませられることにより、前記接点部が前記端子箱部と離れる位置に変位されて前記端子箱部に対する接触が解除されることを特徴とする請求項１に記載のコネクタ。
【請求項４】
前記端子金具の端子箱部側に突出して該端子箱部に接触する接点部を有する前記短絡用接触片は、嵌合された前記相手側コネクタの前面によりコネクタ後方へ撓ませられることにより、前記接点部が前記端子箱部に形成された非接触用凹部に変位されて前記端子箱部に対する接触が解除されることを特徴とする請求項１に記載のコネクタ。
【請求項５】
前記ショート端子は、一方の前記端子金具に電気的に接続された第１ショート端子と、他方の前記端子金具に電気的に接続された第２ショート端子とを有し、前記第１ショート端子の接点部と前記第２ショート端子の接点部とが接触することにより電気的に接続されると共に、前記第１ショート端子の短絡用接触片の前端に設けられた当て部が前記コネクタハウジングの前面から突出しており、
前記コネクタハウジングの前面に対向する前記相手側コネクタの前面が前記当て部を押圧して前記短絡用接触片をコネクタ後方へ撓ませることで、前記第１ショート端子の接点部が前記前記第２ショート端子の接点部と離れる位置に変位されて２つの前記端子金具の短絡解除が行われることを特徴とする請求項１に記載のコネクタ。
【発明の詳細な説明】
【技術分野】
【０００１】
本発明は、一対の端子を短絡可能にするショート端子を備えたコネクタに関する。
【背景技術】
【０００２】
例えば、エアバッグ用のインフレータへの回路接続に使用されるコネクタは、通常、雌雄コネクタハウジングの嵌合接続時に静電気によってインフレータが誤作動することを防止するために、ショート端子及び短絡解除部材を備えた構成になっている（例えば、特許文献１参照）。短絡金具（ショート端子）は、雌雄コネクタハウジングの嵌合接続が完了するまでは、インフレータに接続する２極間に電位差が生じないように、インフレータに接続する２極間を短絡接続する。また、絶縁片（短絡解除部材）は、雌雄コネクタハウジング相互の嵌合接続が完了したときに、絶縁片が短絡金具の弾性アームを押し上げて２極間の短絡を解除する。
【０００３】
また、例えば、特許文献２に開示されたコネクタの場合、一方のコネクタハウジングに設けられたショート端子の先端に斜め方向に延出する形態の受け片が形成され、一対のコネクタハウジングの嵌合過程で受け片を他方のコネクタハウジングの側壁部に向かって変位させてショート端子を端子金具から離間する方向へ弾性撓みさせる押動部が他方のコネクタハウジングに設けられている。
【先行技術文献】
【特許文献】
【０００４】
【特許文献１】特開２００２−３０５０５７号公報
【特許文献２】特開２００３−３６９４４号公報
【発明の概要】
【発明が解決しようとする課題】
【０００５】
しかしながら、上記特許文献１のコネクタの場合、短絡金具が設けられたコネクタハウジングには絶縁片が挿入される挿入口を設け、相手側のコネクタには絶縁片を突設しなければならず、雌雄コネクタハウジングの金型形状が複雑になって製造コストが嵩むという問題がある。
また、上記特許文献１のコネクタの場合、ショート端子の受け片を他方のコネクタハウジングの側壁部（側方）に向かって変位させなければならず、一方のコネクタハウジングの側壁部には変位させられた受け片との干渉を回避する逃がし部（隙間）を設けなければならないので、コネクタの大型化を招くという問題がある。
【０００６】
本発明は、上述した事情に鑑みてなされたものであり、その目的は、コネクタハウジングの金型形状が複雑になるのを防止して製造コストを低減すると共に、大型化を招くことなく、一対の端子金具の短絡解除を良好に行うことができるコネクタを提供することにある。
【課題を解決するための手段】
【０００７】
前述した目的を達成するために、本発明に係るコネクタは、下記（１）〜（５）を特徴としている。
（１）  少なくとも２つの端子金具と、前記端子金具を収容する端子収容室を有するコネクタハウジングと、２つの前記端子金具を互いに電気的に接続するショート端子と、を備え、嵌合された相手側コネクタにより前記ショート端子による２つの前記端子金具の電気的な接続が解除されるコネクタであって、
前記ショート端子の短絡用接触片の前端に設けられた当て部が前記コネクタハウジングの前面から突出しており、
前記コネクタハウジングの前面に対向する前記相手側コネクタの前面が前記当て部を押圧して前記短絡用接触片をコネクタ後方へ撓ませることで、２つの前記端子金具の短絡解除が行われることを特徴とするコネクタ。
（２）  嵌合された前記相手側コネクタの前面によりコネクタ後方へ撓ませられた前記短絡用接触片は、前記端子収容室に形成されて前記短絡用接触片に当接可能な突起部に接触して前記端子金具と離れる位置に変位されることで、前記端子金具に対する前記短絡用接触片の接触が解除されることを特徴とする上記（１）に記載のコネクタ。
（３）  前記端子金具の端子箱部側に突出して該端子箱部に接触する接点部を有する前記短絡用接触片は、嵌合された前記相手側コネクタの前面によりコネクタ後方へ撓ませられることにより、前記接点部が前記端子箱部と離れる位置に変位されて前記端子箱部に対する接触が解除されることを特徴とする上記（１）に記載のコネクタ。
（４）  前記端子金具の端子箱部側に突出して該端子箱部に接触する接点部を有する前記短絡用接触片は、嵌合された前記相手側コネクタの前面によりコネクタ後方へ撓ませられることにより、前記接点部が前記端子箱部に形成された非接触用凹部に変位されて前記端子箱部に対する接触が解除されることを特徴とする上記（１）に記載のコネクタ。
（５）  前記ショート端子は、一方の前記端子金具に電気的に接続された第１ショート端子と、他方の前記端子金具に電気的に接続された第２ショート端子とを有し、前記第１ショート端子の接点部と前記第２ショート端子の接点部とが接触することにより電気的に接続されると共に、前記第１ショート端子の短絡用接触片の前端に設けられた当て部が前記コネクタハウジングの前面から突出しており、
前記コネクタハウジングの前面に対向する前記相手側コネクタの前面が前記当て部を押圧して前記短絡用接触片をコネクタ後方へ撓ませることで、前記第１ショート端子の接点部が前記前記第２ショート端子の接点部と離れる位置に変位されて２つの前記端子金具の短絡解除が行われることを特徴とする上記（１）に記載のコネクタ。
【０００８】
上記（１）の構成のコネクタでは、相手側コネクタとの嵌合時に、コネクタハウジングの前面から突出するショート端子の短絡用接触片における当て部が、相手側コネクタの前面により押圧されることにより、ショート端子の短絡用接触片がコネクタ後方へ撓ませられ、２つの端子金具の短絡解除が行われる。
そこで、相手側コネクタの前面には短絡解除部材を設ける必要がなく、コネクタハウジングには短絡解除部材が挿入される挿入口を設ける必要がない。従って、両コネクタのハウジングの金型形状が複雑になるのを防止して製造コストを低減することができる。
また、ショート端子の短絡用接触片がコネクタハウジングの側方へ向って大きく変位させられることがなく、短絡用接触片との干渉を避けるために、コネクタハウジングの側壁部には変位させられた短絡用接触片との干渉を回避する逃がし部（隙間）を設ける必要がなくなるので、コネクタの大型化を招くことがない。
上記（２）の構成のコネクタでは、コネクタ後方へ撓ませられた短絡用接触片が、端子収容室に形成されて短絡用接触片に当接可能な突起部（端子金具の前方位置決めする端子位置決め部など）に接触して端子金具と離れる位置に変位されるので、端子金具の短絡解除がより確実に行われる。
上記（３）の構成のコネクタでは、コネクタ後方へ撓ませられた短絡用接触片は、端子箱部側に突出する接点部が端子箱部と離れる位置に変位されて端子箱部に対する接触が解除されるので、２つの端子金具の電気的な接続及び短絡解除がより円滑に行われる。
上記（４）の構成のコネクタでは、コネクタ後方へ撓ませられた短絡用接触片は、端子箱部側に突出する接点部が端子箱部に形成された非接触用凹部に変位されるので、２つの端子金具の電気的な接続及び短絡解除がより円滑、かつ確実に行われる。
上記（５）の構成のコネクタでは、相手側コネクタとの嵌合時に、コネクタハウジングの前面から突出する第１ショート端子の短絡用接触片における当て部が、相手側コネクタの前面により押圧されることにより、第１ショート端子の接点部が第２ショート端子の接点部と離れる位置に変位されて、２つの端子金具の短絡解除が行われる。
そこで、上記構成のショート端子は、相手側コネクタとの嵌合ストロークに応じて第１ショート端子の接点部と第２ショート端子の接点部を離間させることができる。従って、上記構成のコネクタは、２つの端子金具の短絡解除をより確実に行うことができ、構造上の設計自由度が高い。
【発明の効果】
【０００９】
本発明によれば、コネクタハウジングの金型形状が複雑になるのを防止して製造コストを低減すると共に、大型化を招くことなく、一対の端子金具の短絡解除を良好に行うことができるコネクタを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本発明の第１実施形態に係るコネクタの斜視図である。
【図２】図２は、図１に示したコネクタに嵌合される相手側コネクタの斜視図である。
【図３】図３は、図１に示したコネクタのＡ−Ａ断面図である。
【図４】図４は、図１に示したコネクタにおける端子金具の斜視図である。
【図５】図５は、本第１実施形態のコネクタに用いられるショート端子の斜視図である。
【図６】図６は、図５に示したショート端子が装着されたフロントホルダーの斜視図である。
【図７】図７は、図２に示した相手側コネクタのＢ−Ｂ断面図である。
【図８】図８は、本第１実施形態に係るコネクタの相手側コネクタへの嵌合初期状態における縦断面図及び要部拡大図である。
【図９】図９は、本第１実施形態に係るコネクタの相手側コネクタへの嵌合完了状態における縦断面図及び要部拡大図である。
【図１０】図１０は、本発明の第２実施形態に係るコネクタに用いられるショート端子の斜視図である。
【図１１】図１１は、本発明の第３実施形態に係るコネクタに用いられるショート端子の斜視図である。
【図１２】図１２の（ａ）は図１０に示したショート端子を用いたコネクタの要部拡大図、図１２の（ｂ）は図１０に示したショート端子を用いたコネクタの相手側コネクタへの嵌合完了状態における要部拡大断面図である。
【図１３】図１３の（ａ）は図１１に示したショート端子を用いたコネクタの要部拡大図、図１３の（ｂ）は図１１に示したショート端子を用いたコネクタの相手側コネクタへの嵌合完了状態における要部拡大断面図である。
【図１４】図１４は、図１３に示したコネクタにおける端子金具の斜視図である。
【図１５】図１５は本発明の第４実施形態に係るコネクタに用いられるショート端子の斜視図である。
【図１６】図１６は図１５に示したショート端子の短絡解除状態における斜視図である。
【発明を実施するための形態】
【００１２】
以下、本発明に係る実施の形態の例を、図面を参照して説明する。
（第１実施形態）
図１及び図２は、本発明の第１実施形態に係るコネクタ１及び相手側コネクタ５の斜視図である。図３は、図１に示したコネクタ１のＡ−Ａ断面図である。図４は、図２に示した相手側コネクタ５のＢ−Ｂ断面図である。
【００１３】
図１及び図３に示すように、本第１実施形態に係るコネクタ１は、一対のオス端子（端子金具）３１と、一対のオス端子３１を収容する端子収容室１５を有するコネクタハウジングであるオスハウジング１１と、一対のオス端子３１を互いに電気的に接続するショート端子４１とを備えている。
【００１４】
オス端子３１は、図４に示すように、例えば、銅または銅合金などの導電性の金属板を所定形状に打ち抜いたものに曲げ加工等を施すことにより、前後方向に細長い形状に作製される。オス端子３１の先端側には、タブ状の電気接続部３２が形成されており、後端側には、図示しない電線が圧着接続される圧着部３３が形成されており、電気接続部３２と圧着部３３の間には、矩形筒状の端子箱部３５が形成されている。
【００１５】
圧着部３３は、導体の周囲を外被で覆った電線の端部が圧着されて導通接続される。圧着部３３は、導体加締め部３３ａと、被覆加締め部３３ｂとを有している。導体加締め部３３ａは、外被から露出された導体に加締められ、被覆加締め部３３ｂは、外被に加締められる。
【００１６】
オスハウジング１１は、電気絶縁性の合成樹脂から成形されたもので、その先端側が嵌合凹部１２とされている。オスハウジング１１は、オスハウジング本体部１３と、これを取り囲む長円筒状のフード部１８とから構成される。オスハウジング本体部１３には、一対のオス端子３１をそれぞれに収容する端子収容室１５が形成されている。
【００１７】
一対の端子収容室１５は、相手側コネクタ５との嵌合方向に沿って形成されており、オスハウジング１１の幅方向に並設されている。各端子収容室１５は、オスハウジング本体部１３の先端側に開口部１４を有している。この開口部１４を画成する周壁の内、オス端子３１における電気接続部３２の上面３４に対向する壁部は、他の壁部よりも後方側に形成され、端子収容室１５の後方から挿入されたオス端子３１における端子箱部３５の前部に当接してオス端子３１の前方位置決めする端子位置決め部２０とされている。また、端子位置決め部２０は、後述するショート端子４１の短絡用接触片４６の後方側から当接可能な突起部としての機能も有する。
【００１８】
オスハウジング本体部１３のそれぞれの端子収容室１５は、一側面から端子収容室１５の内方へ突出する可撓係止片であるオス端子用ランス１９を有している。オス端子用ランス１９は、前方へ延出する片持ち梁状に形成されており、その先端側が端子収容室１５内へ入り込んでいる。また、オス端子用ランス１９の端子収容室１５と反対側には、オス端子用ランス１９がオス端子３１の端子箱部３５によって下方へ押圧されて撓めるように可撓空間１５ａが設けられている。そして、オス端子３１は、端子箱部３５の後端部３６がオス端子用ランス１９によって係止されて抜け止めがなされる。
【００１９】
オス端子３１のタブ状の電気接続部３２は、端子収容室１５の開口部１４から前方に突出し、フード部１８内に臨んでおり、相手側コネクタ５のメス端子６１と接続可能とされている。このフード部１８の内壁には、長手方向に沿って凸条１６が形成され、この凸条１６にメスハウジング５１に設けられたガイド溝５８が係合されて、メスハウジング５１の嵌合を案内するように構成されている。
フード部１８の外周面上下の中央には、ロック突起６３が突設され、ロック突起６３は相手側コネクタ５の上下部に形成した一対のロックアーム６５のロック係止部６５ａと係合する。
【００２０】
フード部１８の奥に位置するオスハウジング本体部１３の外周壁とフード部１８の内周壁との間には、ショート端子４１が装着されたフロントホルダー２１に嵌装されている。フロントホルダー２１に装着されたショート端子４１は、一対の端子収容室１５にそれぞれ収容されたオス端子３１に隣接して配設され、電気接続部３２を互いに電気的に接続して一対のオス端子３１間を短絡接続する。
【００２１】
ショート端子４１は、金属板のプレス成形により形成された端子であり、図５に示すように、矩形状の端子本体４２と、該端子本体４２の両側に配設されて後端（図５中、右端）から延出する２つの短絡用接触片４６と、を備えている。
端子本体４２は、左右の側縁に突設された被支持部４５と、中央の後端側に穿設された係止孔４４とを備えている。
【００２２】
短絡用接触片４６は、図１及び図３に示すように、端子本体４２の後端からＵ字状に折り返され、オス端子３１の電気接続部３２側に斜めに延出して、オスハウジング本体部１３の前面１７から前端が突出する形状に成形されている。
また、オス端子３１の電気接続部３２に接触する短絡用接触片４６の自由端部には、オス端子３１側に凸の折り曲げ部４８が屈曲形成され、オスハウジング本体部１３の前面１７から突出する短絡用接触片４６の前端には、当て部４７が折り曲げ形成されている。
【００２３】
フロントホルダー２１は、電気絶縁性の合成樹脂から成形されたもので、図６に示すように、ショート端子４１の端子本体４２が載置される支持板部２３と、支持板部２３の上面に対向配置された上壁部２５とを有し、これらの左右端側を連結して枠体形状に成形されている。
支持板部２３の左右両側には、互いに対向する支持溝２２が設けられており、端子本体４２の左右側縁に突設された被支持部４５を板厚方向に挟持する。また、支持板部２３の中央部には、後方端から前方へ延出するロックアーム２４が設けられており、端子本体４２の係止孔４４を係止する。そこで、左右側縁の被支持部４５が支持溝２２に案内されながら支持板部２３の上面に沿って前方から挿入されるショート端子４１の端子本体４２は、所定位置に達すると、ロックアーム２４により係止孔４４が係止されて抜け止めされる。
【００２４】
また、フロントホルダー２１の支持板部２３の後方には、それぞれの端子収容室１５に応じて一対のランス規制部２７が設けられている。ランス規制部２７は、フロントホルダー２１がオスハウジング本体部１３に嵌装されると、可撓空間１５ａ（図３参照）に挿入される。可撓空間１５ａに挿入されたランス規制部２７は、端子収容室１５にオス端子３１を固定しているオス端子用ランス１９の係止解除方向の移動を規制し、オス端子３１の固定をより確実とする。なお、このフロントホルダー２１は、図示しない係止構造によって、オス端子用ランス１９の係止解除方向の移動を許容する仮係止位置と、係止解除方向の移動を規制する本係止位置とを採りえるように、オスハウジング本体部１３に固定される。
【００２５】
そして、フロントホルダー２１がオスハウジング本体部１３に嵌装されると、フロントホルダー２１に装着されたショート端子４１は、オス端子３１の上面側（図３の下側）に隣接して配置される。この状態では、ショート端子４１の各短絡用接触片４６が、オスハウジング本体部１３の端子位置決め部２０よりも前側に配置されており、折り曲げ部４８が電気接続部３２の上面３４に接触し、短絡用接触片４６における前端の当て部４７がオスハウジング本体部１３の前面１７から突出する。従って、ショート端子４１は、２つのオス端子３１を互いに電気的に接続して短絡状態とする。
【００２６】
次に、コネクタ１に嵌合される相手側コネクタ５について説明する。
図２及び図７に示すように、相手側コネクタ５は、一対のメス端子６１と、これらメス端子６１を収容する一対の端子収容室５９を有する相手側コネクタハウジングであるメスハウジング５１と、メスハウジング５１をオスハウジング１１に嵌合した際に離脱を規制する一対のロックアーム６５を有するロック用ハウジング５３とを備えている。
【００２７】
メス端子６１は、例えば、銅または銅合金などの導電性の金属板を所定形状に打ち抜いたものに曲げ加工等を施すことにより、前後方向に細長い形状に作製される。メス端子６１の先端側には、角筒状の電気接続部６９が形成されており、後端側には、図示しない電線が圧着接続される圧着部７０が形成されている。
【００２８】
メスハウジング５１は、ハウジング本体５２とフロントホルダー５５との２部品に分割した構成とされ、それぞれを別体として成形後、組付けて一対の端子収容室５９を画成するようにしたものである。一対の端子収容室５９は、コネクタ１との嵌合方向に沿って形成され、メスハウジング５１の幅方向に並設される。
【００２９】
図７に示すように、電気絶縁性の合成樹脂により成形されたフロントホルダー５５には、メスハウジング５１をオスハウジング１１に嵌合させる際にフード部１８の凸条１６に係合されて案内されるガイド溝５８と、オス端子３１のタブ状の電気接続部３２が挿入される一対の端子挿入口５６を有する前壁５７と、メス端子６１を係止して抜け止めするため端子収容室５９の内方へ突出する可撓係止片であるメス端子用ランス６０とが形成されている。
【００３０】
ハウジング本体５２は、その前端部に切欠き部が形成されるように、電気絶縁性の合成樹脂を射出成形して形成されている。このハウジング本体５２の切欠き部に、フロントホルダー５５が組み付けられ、オスハウジング１１の嵌合凹部１２に嵌合される嵌合部６６を構成している。
【００３１】
また、ハウジング本体５２は、オスハウジング１１のフード部１８の外周面を囲むフード部６４を有し、オスハウジング１１のフード部１８の内周面に対向する嵌合部６６の外周面には、防水パッキン６２が装着されている。そこで、コネクタ嵌合されたオスハウジング１１の嵌合凹部１２とメスハウジング５１の嵌合部６６との間が液密にシールされる。
【００３２】
ロック用ハウジング５３は、電気絶縁性の合成樹脂から成形されたもので、ハウジング本体５２の外周囲を囲むように装着される。ロック用ハウジング５３の上下部に形成した一対のロックアーム６５は、コネクタ嵌合方向に沿って前方に延出された先端部のロック係止部６５ａがオスハウジング１１のロック突起６３と係合することで、嵌合されたコネクタ１と相手側コネクタ５との離脱を規制する。嵌合ロックの解除は、ロックアーム６５の後方の解除操作部６７を押下することにより、ロック係止部６５ａをロック突起６３から離反させて嵌合ロックを解除する。
【００３３】
次に、コネクタ１を相手側コネクタ５に嵌合する場合について説明する。
図８及び図９は、コネクタ１の相手側コネクタ５への嵌合初期状態及び嵌合完了状態における縦断面図及び要部拡大図である。
【００３４】
先ず、コネクタ１を相手側コネクタ５に嵌合すべく、コネクタ１のオスハウジング１１の先端を相手側コネクタ５のメスハウジング５１の先端に向けて近接させる。そして、図８に示すように、メスハウジング５１の嵌合部６６を、オスハウジング１１の嵌合凹部１２に挿し込む。すると、オスハウジング１１のガイド突条１６が、メスハウジング５１のガイド溝５８に入り込み、相手側コネクタ５に対してコネクタ１が嵌合方向へガイドされる。
【００３５】
この状態で、メスハウジング５１が、オスハウジング１１へ挿し込まれると、図９に示すように、オスハウジング１１のオス端子３１がメスハウジング５１の先端側の端子挿入口５６からメス端子６１の電気接続部６９に挿し込まれ、メス端子６１とオス端子３１とが電気的に接続される。
【００３６】
このとき、オスハウジング１１の前面であるオスハウジング本体部１３の前面１７から突出するショート端子４１の短絡用接触片４６における当て部４７が、相手側コネクタ５の前面であるフロントホルダー５５の前壁５７により押圧されることにより、ショート端子４１の短絡用接触片４６がコネクタ後方（図９中、右方）へ撓ませられ、２つのオス端子３１の短絡解除が行われる。
【００３７】
即ち、オス端子３１の電気接続部３２側に斜めに延出された短絡用接触片４６の前端に設けられた当て部４７がコネクタ後方へ押圧されることにより、短絡用接触片４６のＵ字状に折り返された部分が後方へ弾性変形され、短絡用接触片４６の自由端部が端子本体４２側へ変位される。そこで、短絡用接触片４６の自由端部に屈曲形成された折り曲げ部４８が電気接続部３２の上面３４から離間し、非導通状態とされる。そこで、ショート端子４１による隣接する２つのオス端子３１間の短絡が解除される。
【００３８】
コネクタ１と相手側コネクタ５の嵌合解除時には、相手側コネクタ５の前壁５７による押圧が解除されることにより、ショート端子４１の短絡用接触片４６が弾性復帰し、短絡用接触片４６の折り曲げ部４８が電気接続部３２の上面３４に接触する。その結果、ショート端子４１が再び２つのオス端子３１に接触して短絡接続する。
【００３９】
以上、説明したように、本第１実施形態のコネクタ１によれば、相手側コネクタ５におけるメスハウジング５１の前面（フロントホルダー５５の前壁５７）には短絡解除部材を突設する必要がなく、コネクタ１におけるオスハウジング１１のオスハウジング本体部１３には短絡解除部材が挿入される挿入口を設ける必要がない。従って、オスハウジング１１及びメスハウジング５１の金型形状が複雑になるのを防止して製造コストを低減することができる。
【００４０】
また、ショート端子４１の短絡用接触片４６がオスハウジング１１の側方へ向って大きく変位させられることがなく、短絡用接触片４６との干渉を避けるために、オスハウジング１１の側壁部には変位させられた短絡用接触片４６との干渉を回避する逃がし部（隙間）を設ける必要がなくなるので、コネクタ１の大型化を招くことがない。
【００４１】
更に、本第１実施形態のコネクタ１では、コネクタ後方へ撓ませられた短絡用接触片４６が、端子収容室１５に形成されて短絡用接触片４６に当接可能な端子位置決め部２０に接触してオス端子３１と離れる位置に変位されるので、２つのオス端子３１間の短絡解除がより確実に行われる。
【００４２】
（第２実施形態）
図１０は、本発明の第２実施形態に係るコネクタ１Ａに用いられるショート端子７１の斜視図である。図１２の（ａ）は、図１０に示したショート端子７１を用いたコネクタ１Ａの要部拡大図、図１２の（ｂ）は図１０に示したショート端子７１を用いたコネクタ１Ａの相手側コネクタ５への嵌合完了状態における要部拡大断面図である。なお、上記第１実施形態に係るコネクタ１と同様の構成部材については、同符号を付して詳細な説明を省略する。
【００４３】
図１０に示すように、ショート端子７１は、金属板のプレス成形により形成された端子であり、矩形状の端子本体７２と、該端子本体７２の両側に配設されて後端（図１０中、右端）から延出する２つの短絡用接触片７６と、を備えている。
端子本体７２は、左右の側縁に突設された被支持部７５と、中央の後端側に穿設された係止孔７４とを備えている。
【００４４】
短絡用接触片７６は、図１２の（ａ）に示すように、端子本体７２の後端から後斜め上方に延出された後、Ｕ字状に折り返されて前方に略水平に延出して、オスハウジング本体部１３の前面１７から前端が突出する形状に成形されている。
また、オス端子３１の端子箱部３５に接触する短絡用接触片７６には、オス端子３１の端子箱部３５側に突出する湾曲形状に形成されて該端子箱部３５の天面３７に接触する接点部７８を有する。更に、オスハウジング本体部１３の前面１７から突出する短絡用接触片７６の前端には、当て部７７が折り曲げ形成されている。
【００４５】
そして、ショート端子７１は、上記第１実施形態のショート端子４１と同様に、端子本体７２の左右側縁に突設された被支持部７５をフロントホルダー２１の支持溝２２に案内させながら支持板部２３の上面に沿って前方から挿入し、ロックアーム２４により係止孔７４を係止させてフロントホルダー２１に装着される。
【００４６】
図１２の（ａ）に示すように、フロントホルダー２１がオスハウジング本体部１３に嵌装されると、フロントホルダー２１に装着されたショート端子７１は、オス端子３１の上面側（図１２の下側）に隣接して配置される。この状態では、ショート端子７１の各短絡用接触片７６における接点部７８が端子箱部３５の天面３７に接触し、短絡用接触片４６における前端の当て部７７がオスハウジング本体部１３の前面１７から突出する。従って、ショート端子７１は、２つのオス端子３１を互いに電気的に接続して短絡状態とする。
【００４７】
次に、コネクタ１Ａを相手側コネクタ５に嵌合する場合について説明する。
図１２の（ｂ）に示すように、メスハウジング５１が、オスハウジング１１へ挿し込まれると、オスハウジング１１のオス端子３１がメスハウジング５１の先端側の端子挿入口５６からメス端子６１の電気接続部６９に挿し込まれ、メス端子６１とオス端子３１とが電気的に接続される。
【００４８】
このとき、オスコネクタハウジング１１の前面であるオスハウジング本体部１３の前面１７から突出するショート端子７１の短絡用接触片７６における当て部７７が、相手側コネクタ５の前面であるフロントホルダー５５の前壁５７により押圧されることにより、ショート端子７１の短絡用接触片７６がコネクタ後方（図１２中、右方）へ撓ませられ、２つのオス端子３１の短絡解除が行われる。
【００４９】
即ち、短絡用接触片７６の前端に設けられた当て部７７がコネクタ後方へ押圧されることにより、短絡用接触片７６の後斜め上方に延出された後にＵ字状に折り返された部分が後方へ弾性変形され、短絡用接触片７６が端子本体４２側へ変位される。そこで、短絡用接触片７６に形成された接点部７８が端子箱部３５の天面３７から離間し、非導通状態とされる。そこで、ショート端子７１による隣接する２つのオス端子３１間の短絡が解除される。
【００５０】
コネクタ１Ａと相手側コネクタ５の嵌合解除時には、相手側コネクタ５の前壁５７による押圧が解除されることにより、ショート端子７１の短絡用接触片７６が弾性復帰し、短絡用接触片７６の接点部７８が端子箱部３５の天面３７に接触する。その結果、ショート端子７１が再び２つのオス端子３１に接触して短絡接続する。
【００５１】
以上、説明したように、本第２実施形態のコネクタ１Ａによれば、コネクタ後方へ撓ませられた短絡用接触片７６は、端子箱部３５側に突出する接点部７８が端子箱部３５と離れる位置に変位されて端子箱部３５に対する接触が解除されるので、２つの端子金具３１の電気的な接続及び短絡解除がより円滑に行われる。
【００５２】
（第３実施形態）
図１１は、本発明の第３実施形態に係るコネクタ１Ｂに用いられるショート端子８１の斜視図である。図１３の（ａ）は、図１１に示したショート端子８１を用いたコネクタ１Ｂの要部拡大図、図１３の（ｂ）は図１１に示したショート端子８１を用いたコネクタ１Ｂの相手側コネクタ５への嵌合完了状態における要部拡大断面図である。図１４は、図１３に示したコネクタ１Ｂにおける端子金具３１Ａの斜視図である。なお、上記第２実施形態に係るコネクタ１と同様の構成部材については、同符号を付して詳細な説明を省略する。
【００５３】
図１１に示すように、ショート端子８１は、金属板のプレス成形により形成された端子であり、矩形状の端子本体８２と、該端子本体８２の両側に配設されて前端（図１１中、左端）から延出する２つの短絡用接触片８６と、を備えている。
端子本体８２は、左右の側縁に突設された被支持部８５と、中央の後端側に穿設された係止孔８４とを備えている。
【００５４】
短絡用接触片８６は、図１３の（ａ）に示すように、端子本体８２の前端から前斜め上方に延出された後、Ｕ字状に折り返されて後方に略水平に延出して、オスハウジング本体部１３の前面１７から前端が突出する形状に成形されている。
また、オス端子３１Ａの端子箱部３５に接触する短絡用接触片８６には、オス端子３１Ａの端子箱部３５側に突出する湾曲形状に形成されて該端子箱部３５の天面３７に接触する接点部８８を有する。更に、オスハウジング本体部１３の前面１７から突出する短絡用接触片８６の前端には、Ｕ字状に折り返された屈曲部分が当て部７７として形成されている。
【００５５】
そして、ショート端子８１は、上記第１実施形態のショート端子４１と同様に、端子本体８２の左右側縁に突設された被支持部８５をフロントホルダー２１の支持溝２２に案内させながら支持板部２３の上面に沿って前方から挿入し、ロックアーム２４により係止孔８４を係止させてフロントホルダー２１に装着される。
【００５６】
図１３の（ａ）に示すように、フロントホルダー２１がオスハウジング本体部１３に嵌装されると、フロントホルダー２１に装着されたショート端子８１は、オス端子３１Ａの上面側（図１３の下側）に隣接して配置される。この状態では、ショート端子８１の各短絡用接触片８６における接点部８８が端子箱部３５の天面３７に接触し、短絡用接触片８６における前端の当て部８７がオスハウジング本体部１３の前面１７から突出する。従って、ショート端子８１は、２つのオス端子３１を互いに電気的に接続して短絡状態とする。
【００５７】
次に、コネクタ１Ｂを相手側コネクタ５に嵌合する場合について説明する。
図１３の（ｂ）に示すように、メスハウジング５１が、オスハウジング１１へ挿し込まれると、オスハウジング１１のオス端子３１Ａがメスハウジング５１の先端側の端子挿入口５６からメス端子６１の電気接続部６９に挿し込まれ、メス端子６１とオス端子３１Ａとが電気的に接続される。
【００５８】
このとき、オスハウジング１１の前面であるオスハウジング本体部１３の前面１７から突出するショート端子８１の短絡用接触片８６における当て部８７が、相手側コネクタ５の前面であるフロントホルダー５５の前壁５７により押圧されることにより、ショート端子８１の短絡用接触片８６がコネクタ後方（図１３中、右方）へ撓ませられ、２つのオス端子３１の短絡解除が行われる。
【００５９】
即ち、短絡用接触片８６の前端に設けられた当て部８７がコネクタ後方へ押圧されることにより、短絡用接触片８６の前斜め上方に延出された後にＵ字状に折り返された部分が後方へ弾性変形され、端子箱部３５側に突出する接点部８８も後方へ変位する。ここで、オス端子３１Ａの端子箱部３５の天面３７における接点部８８との接触部後方には、図１４に示すように、非接触用凹部３８が形成されている。そこで、接点部８８が端子箱部３５に形成された非接触用凹部３８に対応する位置に変位される。そこで、短絡用接触片８６に形成された接点部８８が端子箱部３５と非接触となり、非導通状態とされる。そこで、ショート端子８１による隣接する２つのオス端子３１Ａ間の短絡が解除される。
【００６０】
コネクタ１Ｂと相手側コネクタ５の嵌合解除時には、相手側コネクタ５の前壁５７による押圧が解除されることにより、ショート端子８１の短絡用接触片８６が弾性復帰し、短絡用接触片８６の接点部８８が端子箱部３５の天面３７に接触する。その結果、ショート端子８１が再び２つのオス端子３１Ａに接触して短絡接続する。
【００６１】
以上、説明したように、本第３実施形態のコネクタ１Ｂによれば、コネクタ後方へ撓ませられた短絡用接触片８６は、端子箱部３５側に突出する接点部８８が端子箱部３５に形成された非接触用凹部３８に変位されるので、２つのオス端子３１Ａの電気的な接続及び短絡解除がより円滑、かつ確実に行われる。
【００６２】
（第４実施形態）
図１５は本発明の第４実施形態に係るコネクタに用いられるショート端子１００の斜視図、図１６は図１５に示したショート端子１００の短絡解除状態における斜視図であり、コネクタハウジング及びフロントホルダーを省略して図示している。
【００６３】
図１５及び図１６に示すように、ショート端子１００は、一方（図１５中、右方）のオス端子３１に電気的に接続された第１ショート端子１０１と、他方（図１５中、左方）のオス端子３１に電気的に接続された第２ショート端子９１とを有する。
第１ショート端子１０１は、金属板のプレス成形により形成された端子であり、矩形状の端子本体１０２と、該端子本体１０２の両側に折り曲げ形成された対向壁にそれぞれ配設された短絡用接触片１０９及び端子接触片１０４と、を備えている。
【００６４】
短絡用接触片１０９は、端子本体１０２における他方のオス端子３１側の対向壁の後端から後方に延出された後、前方へ折り返されて略水平に延出して、オスハウジング本体部１３の前面１７から前端が突出する形状に成形されている。オスハウジング本体部１３の前面１７から突出する短絡用接触片１０９の前端には、当て部１０８が折り曲げ形成されている。また、短絡用接触片１０９における当て部１０８の後方には、接点部１０３を構成する湾曲部１０６と、環状変形部１０７とが形成されている。
端子接触片１０４は、端子本体１０２における一方のオス端子３１側の対向壁の後端から後方に略水平に延出して、先端にオス端子３１の端子箱部３５の天面３７に接触する端子接触部１０５が形成されている。
【００６５】
第２ショート端子９１は、金属板のプレス成形により形成された端子であり、矩形状の端子本体９２と、該端子本体９２の両側に折り曲げ形成された対向壁にそれぞれ配設された短絡用接触片９６及び端子接触片９４と、を備えている。
【００６６】
短絡用接触片９６は、端子本体９２における一方のオス端子３１側の対向壁の前端から前方に延出された後、第１ショート端子１０１側に折り曲げ形成されて接点部９３が形成されている。
端子接触片９４は、端子本体９２における一方のオス端子３１側と反対側の対向壁の後端から後方に略水平に延出して、先端にオス端子３１の端子箱部３５の天面３７に接触する端子接触部９５が形成されている。
【００６７】
そして、第２ショート端子９１における接点部９３の後面は、第１ショート端子１０１の接点部１０３の前面に当接しており、接点部１０３により接点部９３の前方への移動が規制された短絡用接触片１０９は、環状変形部１０７の弾性反発力により蓄勢状態とされている。
【００６８】
そして、これら第１ショート端子１０１及び第２ショート端子９１からなるショート端子１００は、図示しないフロントホルダーに装着される。フロントホルダーがオスハウジング本体部１３に嵌装されると、フロントホルダーに装着されたショート端子１００は、オス端子３１の上面側（図１５の上側）に隣接して配置され、端子接触部９５，１０５が各オス端子３１の端子箱部３５の天面３７に接触させられる。この状態では、第１ショート端子１０１の短絡用接触片１０９における接点部１０３が第２ショート端子９１の接点部９３に接触し、短絡用接触片１０９における前端の当て部１０８がオスハウジング本体部１３の前面１７から突出する。従って、ショート端子１００は、２つのオス端子３１を互いに電気的に接続して短絡状態とする。
【００６９】
次に、上記構成のショート端子１００を備えたコネクタ１を相手側コネクタ５に嵌合する場合を例に説明する。
メスハウジング５１が、オスハウジング１１へ挿し込まれると、オスハウジング１１のオス端子３１がメスハウジング５１の先端側の端子挿入口５６からメス端子６１の電気接続部６９に挿し込まれ、メス端子６１とオス端子３１とが電気的に接続される。
【００７０】
このとき、オスハウジング１１の前面であるオスハウジング本体部１３の前面１７から突出する第１ショート端子１０１の短絡用接触片１０９における当て部１０８が、相手側コネクタ５の前面であるフロントホルダー５５の前壁５７により押圧されることにより、第１ショート端子１０１の短絡用接触片１０９がコネクタ後方（図１６中、右方）へ撓ませられ、２つのオス端子３１の短絡解除が行われる。
【００７１】
即ち、短絡用接触片１０９の前端に設けられた当て部１０８がコネクタ後方へ押圧されることにより、短絡用接触片１０９の環状変形部１０７が弾性変形され、接点部１０３を構成する湾曲部１０６が端子本体１０２に近付きながら後方へ変位される。そこで、短絡用接触片１０９に形成された接点部１０３が第２ショート端子９１の接点部９３から離間し、非導通状態とされる。そこで、ショート端子１００による隣接する２つのオス端子３１間の短絡が解除される。
【００７２】
コネクタ１と相手側コネクタ５の嵌合解除時には、相手側コネクタ５の前壁５７による押圧が解除されることにより、第１ショート端子１０１の短絡用接触片１０９が弾性復帰し、短絡用接触片１０９の接点部１０３が第２ショート端子９１の接点部９３に接触する。その結果、ショート端子１００が再び２つのオス端子３１に接触して短絡接続する。
【００７３】
以上、説明したように、本第４実施形態に係るショート端子１００を用いたコネクタ１によれば、相手側コネクタ５との嵌合時に、オスハウジング本体部１３の前面１７から突出する第１ショート端子１０１の短絡用接触片１０９における当て部１０８が、相手側コネクタ５の前面であるフロントホルダー５５の前壁５７により押圧されることにより、第１ショート端子１０１の接点部１０３が第２ショート端子９１の接点部９３と離れる位置に変位されて、２つのオス端子３１の短絡解除が行われる。
【００７４】
そこで、上記構成のショート端子１００は、相手側コネクタ５との嵌合ストロークに応じて第１ショート端子１０１の接点部１０３と第２ショート端子９１の接点部９３を離間させることができる。即ち、短絡用接触片１０９の環状変形部１０７が十分な弾性変形量を有するので、接点部１０３を構成する湾曲部１０６と当て部１０８との間隔を適宜広げることで、嵌合ストロークに応じて接点部１０３と接点部９３の離間間隔を大きくすることが容易である。従って、上記構成のコネクタは、２つのオス端子３１の短絡解除をより確実に行うことができ、構造上の設計自由度が高い。
【００７５】
従って、上記各実施形態のコネクタ１、１Ａ，１Ｂによれば、オスハウジング１１及びメスハウジング５１の金型形状が複雑になるのを防止して製造コストを低減すると共に、大型化を招くことなく、一対のオス端子３１の短絡解除を良好に行うことができる。
【００７６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
例えば、上記各実施形態においては、端子金具としてオス端子３１を用い、コネクタハウジングとしてオスハウジング１１を用いた場合を例に説明したが、本発明の端子金具はメス端子でもよく、コネクタハウジングはメスハウジングでもよい。また、上記各実施形態のショート端子４１，７１，８１，１００は、フロントホルダー２１に装着されてコネクタハウジングに配置される場合を例に説明したが、コネクタハウジングに直接装着してもよいことは云うまでもない。
【００７７】
ここで、上述した本発明に係るコネクタの実施形態の特徴をそれぞれ以下［１］〜［５］に簡潔に纏めて列記する。
［１］  少なくとも２つの端子金具（オス端子３１，３１Ａ）と、前記端子金具を収容する端子収容室（１５）を有するコネクタハウジング（オスハウジング１１）と、２つの前記端子金具を互いに電気的に接続するショート端子（４１，７１，８１，１００）と、を備え、嵌合された相手側コネクタ（５）により前記ショート端子による２つの前記端子金具の電気的な接続が解除されるコネクタであって、
前記ショート端子の短絡用接触片（４６，７６，８６，１０９）の前端に設けられた当て部（４７，７７，８７，１０８）が前記コネクタハウジングの前面（オスハウジング本体部１３の前面１７）から突出しており、
前記コネクタハウジングの前面に対向する前記相手側コネクタの前面（フロントホルダー５５の前壁５７）が前記当て部を押圧して前記短絡用接触片をコネクタ後方へ撓ませることで、２つの前記端子金具の短絡解除が行われることを特徴とするコネクタ（１，１Ａ，１Ｂ）。
［２］  嵌合された前記相手側コネクタの前面（フロントホルダー５５の前壁５７）によりコネクタ後方へ撓ませられた前記短絡用接触片（４６）は、前記端子収容室（１５）に形成されて前記短絡用接触片に当接可能な突起部（端子位置決め部２０）に接触して前記端子金具（オス端子３１）と離れる位置に変位されることで、前記端子金具に対する前記短絡用接触片の接触が解除されることを特徴とする上記［１］に記載のコネクタ（１）。
［３］  前記端子金具（３１）の端子箱部（３５）側に突出して該端子箱部に接触する接点部（７８）を有する前記短絡用接触片（７６）は、嵌合された前記相手側コネクタの前面（フロントホルダー５５の前壁５７）によりコネクタ後方へ撓ませられることにより、前記接点部が前記端子箱部と離れる位置に変位されて前記端子箱部に対する接触が解除されることを特徴とする上記［１］に記載のコネクタ（１Ａ）。
［４］  前記端子金具（３１Ａ）の端子箱部（３５）側に突出して該端子箱部に接触する接点部（８８）を有する前記短絡用接触片（８６）は、嵌合された前記相手側コネクタ（５）の前面（フロントホルダー５５の前壁５７）によりコネクタ後方へ撓ませられることにより、前記接点部が前記端子箱部に形成された非接触用凹部（３８）に変位されて前記端子箱部に対する接触が解除されることを特徴とする上記［１］に記載のコネクタ（１Ｂ）。
［５］  前記ショート端子（１００）は、一方の前記端子金具（３１）に電気的に接続された第１ショート端子（１０１）と、他方の前記端子金具（３１）に電気的に接続された第２ショート端子（９１）とを有し、前記第１ショート端子の接点部（１０３）と前記第２ショート端子の接点部（９３）とが接触することにより電気的に接続されると共に、前記第１ショート端子の短絡用接触片（１０９）の前端に設けられた当て部（１０８）が前記コネクタハウジングの前面（オスハウジング本体部１３の前面１７）から突出しており、
前記コネクタハウジングの前面に対向する前記相手側コネクタの前面（フロントホルダー５５の前壁５７）が前記当て部を押圧して前記短絡用接触片をコネクタ後方へ撓ませることで、前記第１ショート端子の接点部が前記前記第２ショート端子の接点部と離れる位置に変位されて２つの前記端子金具の短絡解除が行われることを特徴とする上記［１］に記載のコネクタ（１）。
【符号の説明】
【００７８】
１：コネクタ
５：相手側コネクタ
１１：オスハウジング（コネクタハウジング）
１３：オスハウジング本体部
１５：端子収容室
１７：前面（コネクタハウジングの前面）
３１：オス端子（端子金具）
４１：ショート端子
４６：短絡用接触片
４７：当て部
５７：前壁（相手側コネクタの前面）
【図１】
2018060722.tif 000003
【図２】
2018060722.tif 000004
【図３】
2018060722.tif 000005
【図４】
2018060722.tif 000006
【図５】
2018060722.tif 000007
【図６】
2018060722.tif 000008
【図７】
2018060722.tif 000009
【図８】
2018060722.tif 000010
【図９】
2018060722.tif 000011
【図１０】
2018060722.tif 000012
【図１１】
2018060722.tif 000013
【図１２】
2018060722.tif 000014
【図１３】
2018060722.tif 000015
【図１４】
2018060722.tif 000016
【図１５】
2018060722.tif 000017
【図１６】
2018060722.tif 000018